(57)【要約】【課題】強い横風が吹いても、がいし連又はアークホーンが送電線又は機器と干渉するおそれのないＶ吊懸垂装置を提供する。【解決手段】一対のがいし連の下端を、下辺に送電線を連結したヨークの上辺両側にクレビス金具及びヨークとクレビス金具を貫通する枢軸を介してその枢軸を中心に回動自在に連結してなるＶ吊懸垂装置において、ヨークの上辺両側の側端面を前記両側の枢軸の中心を結ぶ直線に対して直角にするとともに、その側端面とヨークの上面とを枢軸の中心を中心とする円弧に沿った湾曲面により連続させ、その枢軸の中心からクレビス金具の溝の底面までの最短距離を枢軸の中心からヨークのの側端面までの最短距離とほぼ等しいかそれよりも極僅かに大きく設定して、クレビス金具のヨークに対する枢軸を中心とする下方回動角度を両側の枢軸の中心を結ぶ直線とほぼ一致する角度ないしその角度から僅かに下側の角度に規制する回動角度規制手段を構成した。【選択図】図２
2006333697.tif 000002
【特許請求の範囲】
【請求項１】
一対のがいし連の下端を、下辺に送電線を連結したヨークの上辺両側にクレビス金具及び前記ヨークと前記クレビス金具を貫通する枢軸を介してその枢軸を中心に回動自在に連結してなるＶ吊懸垂装置において、
前記ヨークの上辺両側の側端面を前記両側の枢軸の中心を結ぶ直線に対して直角にするとともに、その側端面と前記ヨークの上面とを前記枢軸の中心を中心とする円弧に沿った湾曲面により連続させ、
前記枢軸の中心から前記クレビス金具の溝の底面までの最短距離を前記枢軸の中心から前記ヨークの側端面までの最短距離とほぼ等しいかそれよりも極僅かに大きく設定して、  前記クレビス金具の前記ヨークに対する前記枢軸を中心とする下方回動角度を前記両側の枢軸の中心を結ぶ直線とほぼ一致する角度ないしその角度から僅かに下側の角度に規制する回動角度規制手段を構成した、
ことを特徴とするＶ吊懸垂装置。
【発明の詳細な説明】
【技術分野】
【０００１】
本発明は、Ｖ吊懸垂装置に係り、特に、横振れ時のがいし連又はアークホーンとライン側との接触を防止できるようにしたものに関する。
【背景技術】
【０００２】
図３は、従来のＶ吊懸垂装置の一例を送電線Ｌ1 〜Ｌ3 の伸張方向から見たときの正面図である。このＶ吊懸垂装置ａ′は、一対の所定長さのがいし連１ａ，１ｂをヨークを介してＶ字状に垂下して構成されている。すなわち、一対のがいし連１ａ，１ｂの上端部は、図示しない送電線鉄塔のアームＡに所定の間隔を保って取付金具類２ａ，２ｂを介してそれぞれ取付けられるとともに、それら一対のがいし連１ａ，１ｂの下端部は、一対の偏平な所定の厚さを有するヨーク３にクレビス金具４ａ′，４ｂ′及びヨークとクレビス金具を貫通する枢軸６（図４）を介してそれぞれ枢軸を中心として回動自在に連結されて、Ｖ字状を呈している。がいし連１ａ，１ｂは、周知のように、多数のがいしを順次一定の角度範囲内で屈曲自在に連結して構成されているものである。
【０００３】
ヨーク３は、送電線Ｌ1 〜Ｌ3 の伸張方向から見たときに横長の四角形を呈し、その上辺の左右両側に一対のがいし連１ａ，１ｂの下端部が取付けられ、その下辺に３導体からなる送電線Ｌ1 〜Ｌ3 が懸垂クランプ５ａ〜５ｃを介してそれぞれ取付けられている。
【０００４】
なお、図３の例では、ヨーク３の形状は、横長の四角形であるが、送電線の導体数等により三角形等の他の形状を呈することもあるが、いずれの形状であっても、一対のがいし連１ａ，１ｂの連結される箇所は、水平状の上辺の左右両端側となる。
【発明の開示】
【発明が解決しようとする課題】
【０００５】
しかしながら、上記従来のＶ吊懸垂装置は、強い横風を受けたときに風下側のがいし連のがいし又はアークホーンが送電線（ライン）と接触する干渉のおそれがあった。
【０００６】
図３及び図４を用いてさらに説明すると、図３の矢印イに示されるように、送電線Ｌ1 〜Ｌ3 及びＶ吊懸垂装置ａ′が送電線Ｌ1 〜Ｌ3 の伸張方向と直交する水平方向の強い風を受けると、Ｖ吊懸垂装置ａ′は、図３，４の左側のがいし連１ｂは緊張したままその下端部が持ち上げられるが、クレビス金具４ａ´，４ｂ´は枢軸６を中心に回動自在であるため、図４に示されるように、風下側（図示の例では右側）のがいし連１ａが弛み、そのがいし連１ａ又はアークホーンＨが送電線側と干渉して懸垂クランプ５ａ〜５ｃ（機器）を損傷するおそれがあった。図４は、風下側のがいし連１ａのアークホーンＨと送電線Ｌ1 の懸垂クランプ５ａとが干渉している状態を示している。なお、上述の例では、横風が左から右へ吹くときであるが、横風が右から左へ吹くときは、がいし連１ｂと送電線Ｌ2 側との干渉が発生する。
【０００７】
そこで、本発明は、上記欠点を解決するためになされたものであって、その目的は、強い横風が吹いてもがいし連又はアークホーンが送電線又は機器と干渉するおそれのないＶ吊懸垂装置を提供することにある。
【課題を解決するための手段】
【０００８】
本発明は、上記目的を達成するために、一対のがいし連の下端を、下辺に送電線を連結したヨークの上辺両側にクレビス金具及び前記ヨークと前記クレビス金具を貫通する枢軸を介してその枢軸を中心に回動自在に連結してなるＶ吊懸垂装置において、前記ヨークの上辺両側の側端面を前記両側の枢軸の中心を結ぶ直線に対して直角にするとともに、その側端面と前記ヨークの上面とを前記枢軸の中心を中心とする円弧に沿った湾曲面により連続させ、前記枢軸の中心から前記クレビス金具の溝の底面までの最短距離を前記枢軸の中心から前記ヨークの側端面までの最短距離とほぼ等しいかそれよりも極僅かに大きく設定して、前記クレビス金具の前記ヨークに対する前記枢軸を中心とする下方回動角度を前記両側の枢軸の中心を結ぶ直線とほぼ一致する角度ないしその角度から僅かに下側の角度に規制する回動角度規制手段を構成したことを特徴としている。
【発明の効果】
【０００９】
上述のように、本発明は、ヨークの上辺両側の側端面を前記両側の枢軸の中心を結ぶ直線に対して直角にするとともに、その側端面と前記ヨークの上面とを前記枢軸の中心を中心とする円弧に沿った湾曲面により連続させ、前記枢軸の中心から前記クレビス金具の溝の底面までの最短距離を前記枢軸の中心から前記ヨークの側端面までの最短距離とほぼ等しいかそれよりも極僅かに大きく設定して、前記クレビス金具の前記ヨークに対する前記枢軸を中心とする下方回動角度を前記両側の枢軸の中心を結ぶ直線とほぼ一致する角度ないしその角度から僅かに下側の角度に規制する回動角度規制手段を構成したので、強い横風を受けて一方のがいし連が弛んでも、クレビス金具がヨークに当たってそれ以上下方に回動しないから、がいし連又はアークホーンが送電線側と干渉するのを効果的に防止することができる。
また、Ｖ吊懸垂装置において用いられるがいし連は、上述され、かつ、図１及び図４に示されているように、一定の角度範囲内で屈曲自在であり、その上端部は鉄塔に固定され、下端部はクレビス金具を介してヨークに連結される。そのため、Ｖ吊懸垂装置が強い横風を受けて風上側のがいし連及びヨークが浮上された場合、風下側のがいし連をヨークに結合するクレビス金具の回動角度が水平よりも上向きで止められると、各がいし連は長さが決まっていて、上端部が鉄塔に固定されていて、かつ、各がいしは互いに隣接するがいしに対してその中心線から一定範囲内でしか回動できないので、前記風下側のがいし連はクレビスから上向きに立ち上がり、かつ下向きに湾曲した後、再び上向きに湾曲する横転Ｓ字状に湾曲する。すなわち、２箇所に互いに反対向きの変曲点を有することとなるので、横風により弛んだがいし連の荷重によりがいし同士の回動可能範囲を超える力が加わり易いため、すなわち、がいし同士の連結部に大きな負荷が加わり易くなるため、がいし連が損傷する虞がある。
本発明では、クレビス金具のヨークに対する枢軸を中心とする下方回動角度を両側の枢軸の中心を結ぶ直線とほぼ一致する角度ないしその角度から僅かに下側の角度に規制する回動角度規制手段を備えたので、Ｖ吊懸垂装置が強い横風を受けて風上側のがいし連及びヨークが浮上された場合に、風下側のがいし連が２箇所に互いに反対向きの変曲点がある横転Ｓ字状でなく、下側１箇所に変曲点があるほぼＪ字状に湾曲するため、上記がいし連に過大な負荷がかかること、すなわち、強い横風を受けた時のがいし連の損傷が効果的に防止されるという格段の効果が奏される。
【発明を実施するための最良の形態】
【００１０】
以下、本発明の実施の形態を図面に基づいて説明する。図１は、一実施の形態に係るＶ吊懸垂装置ａのヨークを中心とする周辺部分を送電線Ｌ1 〜Ｌ3 の伸張方向から見たときの正面図であって、強い横風を受けている状態を示し、ちょうど、上記図４に対応している。
【００１１】
なお、上記図３及び図４で示した従来と同一構成要素には、同一符号を用い、これら構成要素については説明が重複するため新規な部分のみについて新たな符号を付して説明する。
【００１２】
クレビス金具４ａ，４ｂは、ヨーク３にクレビス金具とヨークを貫通する枢軸６を介して回動自在に連結されているが、各クレビス金具のヨークに対する下方回動角度が所定の角度を超えないように、回動角度規制手段が設けられている。図１のクレビス金具４ａ及び４ｂは、同一構成であるので、以下には、右側のクレビス金具４ａを用いて説明する。図２（ａ）〜（ｃ）は、ヨーク３とクレビス金具４ａとの回動関係を示したもので、同図（ａ）は、がいし連１ａが横風によって回動していない状態のクレビス金具４ａの角度を示し、ここでは、枢軸６の中心Ｐを通る水平線に対して右上方約４５°の角度に保たれている。同図（ｂ）は、がいし連１ａが強い横風を受けて弛み、クレビス金具４ａが両側の枢軸６の中心Ｐを結ぶ直線とほぼ一致する角度まで回動した状態、すなわち、図１の状態を示している。同図（ｃ）は、同図（ｂ）の上面図である。回動角度規制手段は、図２（ａ）（ｂ）に示すように、ヨーク３の上辺両側の側端面ｓとクレビス金具４ａの溝の底面ｆによって構成されている。そして、ヨークの上辺両側の側端面ｓは、両側の枢軸６の中心Ｐを結ぶ直線に対して直角にされているとともに、その側端面ｓとヨーク３の上面は、枢軸の中心Ｐを中心とする円弧に沿った湾曲面により連続され、枢軸６の中心Ｐからクレビス金具の溝の底面ｆまでの最短距離が枢軸の中心Ｐからヨークの側端面ｓまでの最短距離とほぼ等しく設定してある。これにより、クレビス金具４ａのヨーク３に対する枢軸６を中心とする下方回動が両側の枢軸６の中心Ｐを結ぶ直線とほぼ一致する角度で止められるようになっている。
枢軸６の中心Ｐからクレビス金具の溝の底面ｆまでの最短距離が枢軸の中心Ｐからヨークの側端面ｓまでの最短距離よりも極僅かに大きく設定された場合は、クレビス金具４ａのヨーク３に対する枢軸６を中心とする下方回動は両側の枢軸６の中心Ｐを結ぶ直線から僅かに下側の角度、一例として、１０°前後で止められる。
【００１３】
こうして、図１及び図２（ｂ）に示されるように、がいし連１ａが弛んだときにクレビス金具４ａが送電線Ｌ1 〜Ｌ3 側へ下方向に回動したときは、そのがいし連１ａ又はアークホーンＨが送電線Ｌ1 又は機器５ａ〜５ｃに干渉する前に止められる。
なお、このクレビス金具４ａのヨークに対して上向き方向の回動角度は、略垂直方向となるので、このクレビス金具４ａの回動角度の範囲は、約１００°となる。
このようなクレビスの下方回動が規制される角度は、クレビス４ａの溝底面がヨーク３の側端面に当接する角度により決められる。そして、下方回動角度の終端は、クレビス４ａの溝の深さ、ヨーク３の側面のクレビス４ａ側への突出量、又はこれら両方によって決められる。
【００１４】
本発明のＶ吊懸垂装置ａは、上記構成により、強い横風を受けて一方のがいし連１ａが弛んでも、クレビス金具４ａがヨーク３に当って必要角度を超えて回転することがないから、がいし連１ａ又はアークホーンＨが送電線Ｌ1 側と干渉するのを効果的に防止することができる。
【００１５】
なお、上述の例では、がいし連１ａ側のクレビス金具４ａの例を示したが、他方のがいし連１ｂ側のクレビス金具４ｂも同様に構成されているので、図１の横風イと反対向きの横風による干渉が防止される。
【図面の簡単な説明】
【００１６】
【図１】本発明の一実施の形態に係るＶ吊懸垂装置が強い横風を受けているときの下部分を送電線の伸張方向から見たときの正面図である。
【図２】ヨークとクレビス金具との接続部分の詳細図である。
【図３】従来のＶ吊懸垂装置を送電線の伸張方向から見たときの正面図である。
【図４】従来のＶ吊懸垂装置が強い横風を受けているときの下部分を送電線の伸張方向から見たときの正面図である。
【符号の説明】
【００１７】
ａ  Ｖ吊懸垂装置
１ａ，１ｂ  がいし連
２ａ，２ｂ  取付金具
３  ヨーク
４ａ，４ｂ  クレビス金具
５ａ〜５ｃ  懸垂クランプ（機器）
６  枢軸（ピン）
Ｐ  枢軸の中心
ｆ  溝の底面
Ｈ  アークホーン
Ａ  アーム
Ｌ1 〜Ｌ3   送電線
【図１】
2006333697.tif 000003
【図２】
2006333697.tif 000004
【図３】
2006333697.tif 000005
【図４】
2006333697.tif 000006